(57)【要約】【課題】  安定した捌き性能を得ることが可能な給紙装置及びこれを有する画像形成装置を提供する。【解決手段】  給紙カセット２０と、給紙カセット２０に載置される用紙の搬送方向側を揺動自在に設けられている底板５８と、底板５８を押し上げる底板押上機構と、底板５８に積載された最上位の用紙が当接する位置に配置されたピックアップロール６０と、用紙の先端が当接し紙のこしにより用紙を捌く、給紙カセット２０に設けられた第１の用紙突当て部６２および底板５８に設けられた第２の用紙突当て部６４と、ピックアップロール６０でピックアップされた最上位の用紙を分離して給紙する分離機構７０とを有し、底板５８に積載された用紙が多い状態と少ない状態とで、用紙の先端が第１の用紙突当て部６２に当接する角度と、用紙の先端が第２の用紙突当て部６４に当接する角度がほぼ等しくなるように調整された給紙装置とこれを有する画像形成装置とする。【選択図】          図２
2006069777.tif 000002
【特許請求の範囲】
【請求項１】
給紙カセットと、この給紙カセットに設けられ該給紙カセットに載置される用紙の搬送方向側を揺動自在に設けられた底板と、前記底板を押し上げる底板押上機構と、前記底板上の最上位の用紙が当接する位置に配置されたピックアップロールと、このピックアップロールによりピックアップされた用紙の先端が当接し用紙のこしにより用紙を捌く用紙突当て部と、前記ピックアップロールによりピックアップされて、前記用紙突当て部を介して搬送された用紙を分離して最上位の用紙のみを給紙するようにした分離機構とを有し、前記用紙突当て部が、前記底板に積載された用紙が多い状態と少ない状態とで、前記用紙突当て部に用紙が当接する角度である用紙当接角度がほぼ等しくなるように調整されることを特徴とする給紙装置。
【請求項２】
前記用紙突当て部は、前記給紙カセットに設けられた第１の用紙突当て部と、前記底板に設けられた第２の用紙突当て部とを有し、前記底板に積載された用紙が多い状態では前記第１の用紙突当て部に用紙の先端が当接し、積載された用紙が少ない状態では前記第２の用紙突当て部に用紙の先端が当接することを特徴とする請求項１記載の給紙装置。
【請求項３】
給紙カセットと、この給紙カセットに設けられ該給紙カセットに載置される用紙の搬送方向側を揺動自在に設けられた底板と、前記底板を押し上げる底板押上機構と、前記底板上の最上位の用紙が当接する位置に配置されたピックアップロールと、このピックアップロールによりピックアップされた用紙の先端が当接し用紙のこしにより用紙を捌く用紙突当て部と、前記ピックアップロールによりピックアップされて、前記用紙突当て部を介して搬送された用紙を分離して最上位の用紙のみを給紙するようにした分離機構と、前記用紙突当て部が、前記底板に積載された用紙が多い状態と少ない状態とで、底板の押上げに連動して前記用紙突当て部に用紙が当接する角度である用紙当接角度がほぼ等しくなるように調整する連動機構とを有することを特徴とする給紙装置。
【請求項４】
前記用紙突当て部の上縁側の少なくとも一部に傾動可能な傾斜部が設けられており、前記連動機構は、前記底板の押上げと連動させて前記用紙突当て部の傾斜部を傾動させることを特徴とする請求項３記載の給紙装置。
【請求項５】
前記用紙突当て部が、第１の用紙突当て部とその内部に第２の用紙突当て部とを有し、前記連動機構は、前記底上げと連動させて前記第２の用紙突当て部を前記第１の用紙突当て部の上方に進出させることを特徴とする請求項３記載の給紙装置。
【請求項６】
請求項１乃至５いずれか記載の給紙装置を有することを特徴とする画像形成装置。
【発明の詳細な説明】
【技術分野】
【０００１】
本発明は、プリンタ、複写機またはファクシミリなどの画像形成装置の像形成部へ用紙を供給する給紙装置及びこれを有する画像形成装置に関するものである。
【背景技術】
【０００２】
通常、プリンタ、複写機またはファクシミリなどの画像形成装置においては、像形成部へ用紙を供給する給紙装置が設けられている。その給紙装置としては、たとえば、給紙カセットと、この給紙カセットに後側を支点として揺動自在に設けられた底板と、底板を押し上げる底板押上機構と、底板上の最上位の用紙が当接する位置に配置されたピックアップロールと、このピックアップロールによりピックアップされた用紙の先端が当接し用紙を捌く用紙突当て部と、ピックアップロールによりピックアップされて、用紙突当て部を介して搬送された用紙を分離して最上位の用紙のみを給紙するようにした分離機構とが設けられたものが知られている。この給紙装置では、底板が、用紙の積載量により最上位の用紙がピックアップロールに常に当接するように揺動するとともに、揺動した底板上の用紙が給紙カセットの用紙突当て部に当接しながら、給紙カセットからピックアップロールによりピックアップされて分離機構に搬送される。
この種の給紙装置においては、たとえば、摩擦力の高い用紙突当て部を、底板の揺動と連動して給紙方向に向けて傾斜させることで、搬送する用紙の多い状態と少ない状態とで用紙を捌く力を均一化しようとした給紙装置が公知である（特許文献１参照）。
【０００３】
【特許文献１】特開平９−２４０８６８
【発明の開示】
【発明が解決しようとする課題】
【０００４】
しかしながら、通常、給紙装置の用紙突当て部の捌き力は用紙の先端との当接角度が支配的な要因である。特許文献１に示す給紙装置においては、用紙の少ないときには用紙突当て部の用紙の先端との当接角度が緩やかになり捌き力が低下した分、搬送される用紙と用紙突当て部が接する距離すなわち摺接距離が長くなり、その結果、摩擦距離が長くなるので捌き力は変わらないとされているが、当接角度と摺接距離とは用紙を捌く原理が異なり、前者は用紙のこしを利用して用紙を捌くのに対して、後者は用紙と用紙突当て部との摩擦力を利用しているのであり、それら異なる原理に基づいて用紙の捌き力を均一化することはきわめて難しい。
また、用紙突当て部は分離機構へ向けて用紙を案内する機能も備えているので、用紙突当て部の摩擦力を高くすると用紙の先端折れや不送りの虞が増し、実質的に当接角度が緩やかになった分の捌き力を補完することができない。また、特許文献１に示されている給紙装置の場合、底板に積載された用紙が少なくなると用紙の先端と用紙突当て部が当接する角度である用紙当接角度が小さくなるため、用紙の重送の虞が増してしまうといった問題も有する。
【課題を解決するための手段】
【０００５】
上記課題を解決するため、本発明の特徴とするところは、給紙カセットと、この給紙カセットに設けられ該給紙カセットに載置される用紙の搬送方向側を揺動自在に設けられた底板と、前記底板を押し上げる底板押上機構と、前記底板上の最上位の用紙が当接する位置に配置されたピックアップロールと、このピックアップロールによりピックアップされた用紙の先端が当接し用紙のこしにより用紙を捌く用紙突当て部と、前記ピックアップロールによりピックアップされて、前記用紙突当て部を介して搬送された用紙を分離して最上位の用紙のみを給紙するようにした分離機構とを有し、前記用紙突当て部が、前記底板に積載された用紙が多い状態と少ない状態とで、前記用紙突当て部に用紙が当接する角度である用紙当接角度がほぼ等しくなるように調整されることを特徴とする給紙装置にある。このようにすることによって、底板に積載された用紙の多少にかかわらず、常に用紙のこしを利用して用紙を捌くことが可能となり、より安定した捌き性能を得ることができ、とくに用紙が少ない場合に起こりやすい用紙の重送を防止することができる。
【０００６】
好ましくは、前記用紙突当て部は、前記給紙カセットに設けられた第１の用紙突当て部と、前記底板に設けられた第２の用紙突当て部とを有し、前記底板に積載された用紙が多い状態では前記第１の用紙突当て部に用紙の先端が当接し、積載された用紙が少ない状態では前記第２の用紙突当て部に用紙の先端が当接する給紙装置とする。これにより、底板に積載された用紙が多い状態と少ない状態とで、用紙の先端が第１の用紙突当て部に当接する角度と、用紙の先端が第２の用紙突当て部に当接する角度とがほぼ等しく調整することができ、より安定した捌き性能を得ることができる。
【０００７】
本発明の第２の特徴とするところは、給紙カセットと、この給紙カセットに設けられ該給紙カセットに載置される用紙の搬送方向側を揺動自在に設けられた底板と、前記底板を押し上げる底板押上機構と、前記底板上の最上位の用紙が当接する位置に配置されたピックアップロールと、このピックアップロールによりピックアップされた用紙の先端が当接し用紙のこしにより用紙を捌く用紙突当て部と、前記ピックアップロールによりピックアップされて、前記用紙突当て部を介して搬送された用紙を分離して最上位の用紙のみを給紙するようにした分離機構と、前記用紙突当て部が、前記底板に積載された用紙が多い状態と少ない状態とで、底板の押上げに連動して前記用紙突当て部に用紙が当接する角度である用紙当接角度がほぼ等しくなるように調整する連動機構とを有することを特徴とする給紙装置にある。これにより、底板に積載された用紙の多少にかかわらず、常に用紙のこしを利用して用紙を捌くことが可能となり、より安定した捌き性能を得ることができ、とくに用紙が少ない場合に起こりやすい用紙の重送を防止することができる。
【０００８】
好ましくは、前記用紙突当て部の上縁側の少なくとも一部に傾動可能な傾斜部が設けられており、前記連動機構は、前記底板の押上げと連動させて前記用紙突当て部の傾斜部を傾動させる給紙装置とする。これにより、底板に積載された用紙が多い状態と少ない状態とで、用紙の先端が前記用紙突当て部の傾斜部に当接する角度がほぼ等しく調整することができ、より安定した捌き性能を得ることができる。
【０００９】
好ましくは、前記用紙突当て部が、第１の用紙突当て部とその内部に第２の用紙突当て部とを有し、前記連動機構は、前記底板の押上げと連動させて前記第２の用紙突当て部を前記第１の用紙突当て部の上方に進出させる給紙装置とする。これにより、底板に積載された用紙が多い状態と少ない状態とで、用紙の先端が前記第１の用紙突当て部に当接する角度と、用紙の先端が前記第２の用紙突当て部に当接する角度とがほぼ等しく調整することができ、より安定した捌き性能を得ることができる。
【００１０】
本発明は、上述した給紙装置を有する画像形成装置を含むものである。
【発明を実施するための最良の形態】
【００１１】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部に後述する給紙装置１８が設けられている。
【００１２】
排出部１６は、画像形成装置１２に対して回動自在の傾斜部２２を有する。この傾斜部２２は排出口部分が低く、前面方向（図１の右方向）に向けて徐々に高くなるよう傾斜しており、排出口部分を下端とし、高くなった先端を上端としている。この傾斜部２２は下端を中心に回動自在であるよう画像形成装置本体１２に支持されている。図１で２点鎖線で示すように、傾斜部２２を上方に回転して開いたときには、開放部２４が形成され、この開放部２４を介して後述するプロセスカートリッジ４０が脱着できるようにしてある。
【００１３】
像形成手段１４は、たとえば電子写真方式のもので、感光体からなる像坦持体２６と、この像坦持体２６を一様帯電するたとえば帯電ロールからなる帯電装置２８と、この帯電装置２８により帯電された像坦持体２６に、光により潜像を書き込む光書込み装置３０と、この光書込み装置３０により形成された像坦持体２６に残存する現像剤を用紙に転写する例えばブレードからなるクリーニング装置３６と、転写装置３４により転写された用紙上の現像剤像を用紙に定着させる例えば加圧ロールと加熱ロールからなる定着装置３８とから構成されている。光書込み装置３０は例えば走査型のレーザ露光装置からなり、給紙装置１８の給紙カセット２０と平行で画像形成装置本体１２の前面（図１の右側面）近傍に配置され、現像装置３２内を横切って像坦持体２６を露光する。また、現像装置３２は、像坦持体２６と対向する現像ロール４２を有する。
【００１４】
プロセスカートリッジ４０は、像坦持体２６、帯電装置２８、現像装置３２及びクリーニング装置３６を一体化したものである。このプロセスカートリッジ４０は、排出部１６の傾斜部２２の直近下方に配置されており、前述したように、傾斜部２２を開いたときに形成される開放部２４を介して脱着される。
【００１５】
また、画像形成装置本体１２には、例えばレジストロール４４が転写装置３４の上流側（図１の下方側）に配置されている。給紙装置１８から搬送路４５に搬送された用紙はこのレジストロール４４により一時停止され、所定のタイミングで像形成手段１４に送られて像が形成され、排出ロール４６により排出部１６へ排出される。
【００１６】
ただし、両面印刷の場合は、反転路に戻される。即ち、排出ロール４６の手前は２股に分かれ、その分かれた部分に切換爪４８が設けられていると共に、分かれた部分からレジストロール４４まで戻る反転路５０が形成されている。この反転路５０には搬送ロール５２ａ〜５２ｃが設けられており、両面印刷の場合には、切換爪４８が  反転路５０を開く側に切り換えられ、排出ロール４６に用紙の後端手前からかかる時点で排出ロール４６が反転し、用紙が反転路５０に導かれ、レジストロール４４、転写装置３４と像坦持体２６との間及び定着装置３８を通って排出部１６へ排出されるものである。
【００１７】
次に、本発明の一実施形態の給紙装置１８を図面に基づいて説明する。
図２（ａ）および（ｂ）の断面図において、本発明の一実施形態に係る給紙装置１８の概要が示されている。
図２（ａ）および（ｂ）に示すように、給紙装置１８は、給紙カセット２０と、給紙カセット２０に設けられ給紙カセット２０に載置される用紙の搬送方向側を揺動自在に支点５６で取り付けられている底板５８と、底板５８を押し上げる底板押上機構（図示省略）と、底板５８上の最上位の用紙が当接する位置に配置されたピックアップロール６０と、給紙カセット２０に設けられた第１の用紙突当て部６２と、底板５８に設けられた第２の用紙突当て部６４とを有し、さらにピックアップロール６０によりピックアップされた最上位の用紙のみを給紙するフィードロール６６とリタードロール６８からなる分離機構７０を有している。分離機構７０のフィードロール６６とリタードロール６８とは互いに接触し、底板５８上の最上位の用紙を分離し、協働して用紙を捌くように配置されている。
【００１８】
この実施形態の給紙装置１８においては、給紙カセット２０に設けられた第１の用紙突当て部６２と底板５８に設けられた第２の用紙突当て部６４は、図３の斜視図に示すように第２の用紙突当て部６４が、第１の用紙突当て部６２の中央部分が切り欠かれた切欠き部７２に嵌め込まれた状態で配置されており、底板５８に積載された用紙が多い状態では第１の用紙突当て部６２に用紙の先端が当接し、底板５８に積載された用紙が少ない状態では第２の用紙突当て部６４に用紙の先端が当接するような構造を有している。
なお、第１の用紙突当て部６２と第２の用紙突当て部６４の構造は、図３に示すような構造であってもよいし、あるいは、第１の用紙突当て部と第２の用紙突当て部がくし歯状に形成されてそれらが嵌め合わされた状態で配置された構造であってもよく、底板に積載された用紙が多い状態で第１の用紙突当て部に用紙の先端が当接し、底板に積載された用紙が少ない状態で第２の用紙突当て部に用紙の先端が当接して用紙が捌かれる構造であれば、上記の構造以外のものであってもよい。
【００１９】
次に給紙装置１８の作用について説明する。
図２（ａ）の状態では、底板５８上には用紙が多く積載されているため、底板５８は給紙方向下流側が低くなるよう傾斜した状態で給紙カセット２０内に配置されている。図２（ａ）の状態では、底板５８に設けられた第２の用紙突当て部６４は、給紙カセット２０に設けられた第１の用紙突当て部６２よりも外側に位置しているため用紙の先端は当接しておらず、第１の用紙突当て部６２の傾斜部７４に用紙の先端が当接した状態となっている。そして用紙は、その先端が第１の用紙突当て部６２の給紙方向下流側に用紙が搬送されやすいように傾斜した上縁側の傾斜部７４に当接し、用紙のこしにより捌かれ、最上位の用紙がピックアップロール６０によりピックアップされて分離機構７０へと搬送される。
【００２０】
底板５８上に積載された用紙が多い場合には上記のように給紙されるが、積載された用紙が少なくなるとともに、図２（ｂ）に示すように、底板５８が底板押上機構により押し上げられ、底板５８が水平な状態さらには給紙方向上流側が低くなるように傾斜される。そして底板５８に設けられた第２の用紙突当て部６４が用紙の積載方向に進出し、進出した第２の用紙突当て部６４に用紙の先端が当接して用紙のこしにより用紙が捌かれる。このとき、底板５８に設けられた第２の用紙突当て部６４に用紙の先端が当接する角度（用紙当接角度）が、給紙カセット２０に設けられた第１の用紙突当て部６２の上縁側の傾斜部７４に用紙の先端が当接する角度（用紙当接角度）とほぼ等しくなることから、底板５８に積載された用紙の多少にかかわらず、常に用紙のこしを利用して用紙を捌くことが可能になり、安定した捌き性能を得ることができ、とくに積載された用紙が少ない場合に起こりやすい用紙の重送を防止することができるのである。
【００２１】
なお、図２（ａ）および（ｂ）においては、第２の用紙突当て部６４は、全体が平坦面で形成されているが、たとえば図３の斜視図に示すように、第１の用紙突当て部６２と同様に第２の用紙突当て部６４の上縁側に給紙方向下流側に用紙が搬送されやすいように傾斜した傾斜部７６を設けるといったことももちろん可能である。
【００２２】
次に図４（ａ）および（ｂ）の断面図および図５の斜視図に本発明の他の実施の形態の給紙装置１８を示す。
図４（ａ）および（ｂ）に示す給紙装置１８は、給紙カセット２０と、その給紙カセット２０に後側の支点５６で揺動自在に設けられた底板５８と、底板５８を押し上げる底板押上機構（図示省略）と、底板５８上の最上位の用紙が当接する位置に配置されたピックアップロール６０と、ピックアップロール６０によりピックアップされた用紙を分離して最上位の用紙のみを給紙するフィードロール６６とリタードロール６８からなる分離機構７０とを有しているが、この実施形態の給紙装置１８の場合、図５の斜視図に示すように、用紙突当て部８０の上縁側に設けられた第１の傾斜部８２の中央部分に切欠き部８４が形成されており、その切欠き部８４に傾動可能な第２の傾斜部８６が設けられており、積載された用紙が少なくなるとともに底板５８が押し上げられ、底板５８に設けられた傾動補助部８８と第２傾斜部８６とを含む連動機構９０により、用紙突当て部８０の第２の傾斜部８６が底板５８の押上げと連動して給紙方向上流側に傾動する。
【００２３】
この実施形態の給紙装置１８の連動機構９０を以下詳しく説明する。具体的には、たとえば図４（ａ）に示すように、第２の傾斜部８６は、用紙突当て部８０に設けられた傾斜部形成部品９２の一部として形成されており、傾斜部形成部品９２は側面がＬ字形状をなし、第２傾斜部８６と傾動軸９４と外側傾動部９６とから構成されており、用紙突当て部８０に傾動可能に設けられている。底板５８の先端部には、第２の傾斜部８６を傾動するための傾動補助部８８が設けられており、図４（ｂ）および図５に示すように、積載された用紙が少なくなるとともに底板５８に設けられたその傾動補助部８８が上昇し、給紙方向上流側に傾動する傾斜部形成部品９２の外側傾動部９６を傾動方向に押し上げることで、第２の傾斜部８６は傾動軸９４を支点として給紙方向上流側すなわち給紙カセット２０の内側に傾動する。すなわち第２の傾斜部８６は底板５８の押上げに連動して給紙方向上流側に傾動するのであり、この場合の連動機構９０は、第２傾斜部８６と傾動軸９４と外側傾動部９６とから構成される傾斜部形成部品９２と、底板５８に設けられた傾動補助部８８より構成されている。
なお、図５に示す給紙装置１８においては、外側傾動部９６は傾動軸９４において第２の傾斜部８６の幅方向外側２箇所に設けられており、底板５８の外側傾動部９６に対応する位置に傾動補助部８８が配置されているが、第２の傾斜部８６全体に沿って外側傾動部を設けてもよく、また、傾斜部形成部品９２の側面形状はＬ字形状以外のものであってもよく、第２の傾斜部８６を底板５８の押上げと連動して傾動することが可能であればどのような構造であってもよい。
【００２４】
このようにすることによって、図４および図５に示す給紙装置１８においては、底板５８に積載された用紙の多少にかかわらず用紙突当て部８０に設けられた第１の傾斜部８２に用紙の先端が当接する角度（用紙当接角度）と、第２の傾斜部８６が給紙方向上流側に傾動した状態で第２の傾斜部８６に用紙の先端が当接する角度（用紙当接角度）をほぼ等しく保つことが可能となり、常に用紙のこしを利用して用紙を捌くことになり、安定した捌き性能を得ることができ、とくに積載された用紙が少ない場合に起こりやすい用紙の重送を防止することができるのである。
【００２５】
次に、図６（ａ）および（ｂ）に本発明のさらに他の実施形態の給紙装置１８を示す。
図６（ａ）および（ｂ）の給紙装置１８には、給紙カセット（図示省略）と、この給紙カセットに後側を支点として揺動自在に設けられた底板５８と、底板５８を押し上げる底板押上機構（図示省略）と、給紙カセットに設けられた第１の用紙突当て部９８と、底板５８に積載された最上位の用紙が当接する位置に配置されたピックアップロール６０と、ピックアップロール６０によりピックアップされた用紙を分離して最上位の用紙のみを給紙するフィードロール６６とリタードロール６８からなる分離機構７０とが設けられている。そしてさらにこの給紙装置１８には、第１の用紙突当て部９８の内部に第２の用紙突当て部１００を有している。この第２の用紙突当て部１００は、底板５８に積載された用紙が多い状態では、第１の用紙突当て部９８と第２の用紙突当て部１００との間に設けられた第１のバネ１０２Ａと、底板５８と第２の用紙突当て部１００との間に設けられた第２のバネ１０２Ｂとにより、第１の用紙突当て部９８内部に固定されており、底板５８に積載された用紙が少なくなるとともに第２の用紙突当て部１００が、図６（ｂ）に示すようにその底板５８の押上げと連動して第１の用紙突当て部９８の上方に第１のバネ１０２Ａおよび第２のバネ１０２Ｂの力により進出し、第１の用紙突当て部９８より進出した第２の用紙突当て部１００に用紙の先端が当接して用紙のこしにより用紙を捌くことが可能となる。すなわちこの実施形態の給紙装置１８の連動機構９０は、第１のバネ１０２Ａ、第２のバネ１０２Ｂおよび第２の用紙突当て部１００より構成される。
【００２６】
このとき、第２の用紙突当て部１００の上縁側の傾斜部１０４は、第１の用紙突当て部９８の上縁側の傾斜部１０６と比べて急峻になっており、このようにすることによって給紙装置１８は、底板５８に積載された用紙の多少にかかわらず、積載された用紙が多い状態で用紙の先端が第１の用紙突当て部９８の傾斜部１０６に当接する角度（用紙当接角度）と、積載された用紙が少ない状態で用紙の先端が第２の用紙突当て部１００の傾斜部１０４に当接する角度（用紙当接角度）をほぼ等しく保つことが可能となり、常に用紙のこしを利用して用紙を捌くことができ、安定した捌き性能を得ることができ、とくに積載された用紙が少ない場合に起こりやすい用紙の重送を防止することができるのである。
【００２７】
なお、図６に示す給紙装置１８においては、第１のバネ１０２Ａと第２のバネ１０２Ｂにより第２の用紙突当て部１００をＯＮ／ＯＦＦで第１の用紙突当て部９８より進出させているが、第１のバネ１０２Ａや第２のバネ１０２Ｂを適宜調整することによって第２の用紙突当て部１００を連続的に第１の用紙突当て部９８より進出させることも可能である。また、給紙装置１８においてはバネを用いて第２の用紙突当て部１００を第１の用紙突当て部９８より進出させているが、バネ以外の弾性部材やその他の進出機構を用いて、第２の用紙突当て部１００を第１の用紙突当て部９８の上方に進出させることももちろん可能である。
【産業上の利用可能性】
【００２８】
以上述べたように、本発明は、用紙を安定して供給する必要がある画像形成装置等の給紙装置とこれを有する画像形成装置に利用することができる。
【図面の簡単な説明】
【００２９】
【図１】本発明の実施形態に係る画像形成装置の断面図である。
【図２】本発明の第１の実施形態に係る給紙装置の概要を示す断面図である。
【図３】本発明の第１の実施形態に係る給紙装置の概要を示す正面斜視図である。
【図４】本発明の他の実施形態に係る給紙装置の概要を示す断面図である。
【図５】本発明の他の実施形態に係る給紙装置の概要を示す正面斜視図である。
【図６】本発明のさらに他の実施形態に係る給紙装置の概要を示す断面図である。
【符号の説明】
【００３０】
１０  画像形成装置
１８  給紙装置
２０  給紙カセット
５６  支点
５８  底板
６０  ピックアップロール
６２  第１の用紙突当て部
６４  第２の用紙突当て部
６６  フィードロール
６８  リタードロール
７０  分離機構
７２  切欠き部
７４  傾斜部
７６  傾斜部
８２  用紙突当て部
８４  切欠き部
８６  第２の傾斜部
８８  傾動補助部
９０  連動機構
９２  傾斜部形成部品
９４  傾動軸
９６  外側傾動部
９８  第１の用紙突当て部
１００  第２の用紙突当て部
１０２Ａ  第１のバネ
１０２Ｂ  第２のバネ
１０４  傾斜部
１０６  傾斜部
【図１】
2006069777.tif 000003
【図２】
2006069777.tif 000004
【図３】
2006069777.tif 000005
【図４】
2006069777.tif 000006
【図５】
2006069777.tif 000007
【図６】
2006069777.tif 000008